(57)【要約】  購入済みコンテンツと未購入コンテンツとを混在させたタイトルリストから、直接コンテンツの購入手続きに移行可能とし、未購入コンテンツを購入済みコンテンツとして再生できるようにする。コンテンツ再生装置１０は、購入済み視聴可能なコンテンツおよび未購入で視聴不可能なコンテンツを含むコンテンツを記憶する記憶媒体１３と、記憶媒体１３のコンテンツリストを生成するコンテンツリスト生成部１１と、コンテンツリスト生成部１１が生成したコンテンツリストを表示装置３０に表示させる制御部１４とを備えている。そしてコンテンツリストには、購入状態にかかわらずコンテンツが一覧表示される。そしてコンテンツリストから直接コンテンツ再生認証サーバ５０による認証を行って、購入手続きを行うことができる。購入が完了すると未購入コンテンツが購入済みコンテンツとなって、そのままコンテンツを再生することができる。
2007122962.tif 000002
【特許請求の範囲】
【請求項１】
コンテンツを記憶して再生するコンテンツ再生装置と、該コンテンツ再生装置が記憶したコンテンツを視聴可能とするための認証を行うコンテンツ再生認証サーバとを有するコンテンツ購入視聴システムであって、
前記コンテンツ再生装置は、購入済で視聴可能なコンテンツおよび未購入で視聴不可能なコンテンツを含むコンテンツを記憶する記憶媒体と、該記憶媒体のコンテンツリストを生成するコンテンツリスト生成部と、該コンテンツリスト生成部が生成したコンテンツリストを表示装置に表示させる制御部とを有し、前記コンテンツリストには、購入状態にかかわらずコンテンツが一覧表示されることを特徴とするコンテンツ購入視聴システム。
【請求項２】
請求項１に記載のコンテンツ購入視聴システムにおいて、前記コンテンツ再生装置は、前記コンテンツリストに表示される各コンテンツに購入済か否かを示す情報を表示することを特徴とするコンテンツ購入視聴システム。
【請求項３】
請求項１に記載のコンテンツ購入視聴システムにおいて、前記コンテンツ再生装置は、前記コンテンツリストからのコンテンツの選択が可能であって、該コンテンツの選択を行った場合、該選択したコンテンツが購入済か未購入かによって挙動が異なることを特徴とするコンテンツ購入視聴システム。
【請求項４】
請求項３に記載のコンテンツ購入視聴システムにおいて、前記コンテンツ再生装置は、前記コンテンツリストに表示した前記コンテンツのうち未購入のコンテンツを選択すると、該選択したコンテンツの購入手続きを行うか否かを問うダイアログを前記表示装置に表示することを特徴とするコンテンツ購入視聴システム。
【請求項５】
請求項３に記載のコンテンツ購入視聴システムにおいて、前記コンテンツ再生装置は、前記コンテンツリストに表示した前記コンテンツのうち購入済のコンテンツを選択すると、該選択したコンテンツの再生を行うことを特徴とするコンテンツ購入視聴システム。
【請求項６】
コンテンツを記憶して再生するコンテンツ再生装置であって、該コンテンツ再生装置は、購入済視聴可能なコンテンツおよび未購入で視聴不可能なコンテンツを含むコンテンツを記憶する記憶媒体と、該記憶媒体のコンテンツリストを生成するコンテンツリスト生成部と、該コンテンツリスト生成部が生成したコンテンツリストを表示装置に表示させる制御部とを有し、前記コンテンツリストには、購入状態にかかわらずコンテンツが一覧表示されることを特徴とするコンテンツ再生装置。
【請求項７】
請求項６に記載のコンテンツ再生装置において、前記コンテンツリストに表示される各コンテンツに購入済か否かを示す情報を表示することを特徴とするコンテンツ再生装置。
【請求項８】
請求項６に記載のコンテンツ再生装置において、前記コンテンツリストからのコンテンツの選択が可能であって、該コンテンツの選択を行った場合、該選択したコンテンツが購入済か未購入かによって挙動が異なることを特徴とするコンテンツ再生装置。
【請求項９】
請求項８に記載のコンテンツ再生装置において、前記コンテンツリストに表示した前記コンテンツのうち未購入のコンテンツを選択すると、該選択したコンテンツの購入手続きを行うか否かを問うダイアログを前記表示装置に表示することを特徴とするコンテンツ再生装置。
【請求項１０】
請求項８に記載のコンテンツ再生装置において、前記コンテンツリストに表示した前記コンテンツのうち購入済のコンテンツを選択すると、該選択したコンテンツの再生を行うことを特徴とするコンテンツ再生装置。
【請求項１１】
請求項９に記載のコンテンツ再生装置において、前記ダイアログから購入手続きを行う旨入力すると、該コンテンツ再生装置が記憶したコンテンツを購入して視聴可能とするための認証を行うコンテンツ再生認証サーバにネットワークアクセスを行い、前記選択した前記コンテンツの詳細情報を取得し、該詳細情報を詳細情報表示画面として前記表示装置に表示することを特徴とするコンテンツ再生装置。
【請求項１２】
請求項１１に記載のコンテンツ再生装置において、前記詳細情報表示画面から、購入手続きを継続する旨入力すると、前記コンテンツ再生認証サーバにネットワークアクセスを行い、購入者を特定するための認証画面情報を取得し、該認証画面情報を認証画面として前記表示装置に表示することを特徴とするコンテンツ再生装置。
【請求項１３】
請求項１２に記載のコンテンツ再生装置において、前記認証画面は、認証情報としてユーザ情報、及びパスワード情報を入力する領域と、認証の実行指示を可能とする表示領域とを有し、前記ユーザ情報、及びパスワード情報は、数字キーで入力することを特徴とするコンテンツ再生装置。
【請求項１４】
請求項１２に記載のコンテンツ再生装置において、前記認証画面から認証を実行すると、前記コンテンツ再生認証サーバにネットワークアクセスを行い、認証を実行するとともに認証中画面を取得し、該認証中画面を前記表示装置に表示することを特徴とするコンテンツ再生装置。
【請求項１５】
請求項１３に記載のコンテンツ再生装置において、前記認証画面から認証を実行すると、前記ユーザ情報と前記パスワード情報とを前記コンテンツ再生認証サーバに送信することを特徴とするコンテンツ再生装置。
【請求項１６】
請求項１４に記載のコンテンツ再生装置において、前記認証画面から認証を実行し、前記コンテンツ再生認証サーバが認証に失敗した場合、該コンテンツ再生認証サーバから自動的に認証失敗画面を取得し、該認証失敗画面を前記表示装置に表示することを特徴とするコンテンツ再生装置。
【請求項１７】
請求項１６に記載のコンテンツ再生装置において、前記認証失敗画面を一定時間表示した後に、自動的に前記詳細情報表示画面の表示に切り替えることを特徴とするコンテンツ再生装置。
【請求項１８】
請求項１４に記載のコンテンツ再生装置において、前記認証画面から認証を実行し、前記コンテンツ再生認証サーバが認証に成功した場合、前記コンテンツ再生認証サーバから自動的に購入確認画面を取得し、前記購入確認画面を前記表示装置に表示することを特徴とするコンテンツ再生装置。
【請求項１９】
請求項１８に記載のコンテンツ再生装置において、前記購入確認画面から購入手続きを最終決定する旨入力すると、前記コンテンツ再生認証サーバにネットワークアクセスを行い、コンテンツの購入処理を実行し、前記コンテンツ再生認証サーバから購入完了画面情報を取得し、該購入完了画面情報を購入完了画面として前記表示装置に表示することを特徴とするコンテンツ再生装置。
【請求項２０】
請求項１８に記載のコンテンツ再生装置において、前記購入確認画面から購入手続きを最終決定する旨入力すると、前記コンテンツ再生認証サーバにネットワークアクセスを行い、コンテンツの購入処理を実行するとともに、購入情報を前記記憶媒体の購入情報格納領域に記録することを特徴とするコンテンツ再生装置。
【請求項２１】
請求項１９に記載のコンテンツ再生装置において、前記購入完了画面から購入完了画面を確認した旨入力すると、前記表示装置に前記コンテンツリストを表示することを特徴とするコンテンツ再生装置。
【請求項２２】
請求項２１に記載のコンテンツ再生装置において、前記コンテンツリストに表示される各コンテンツに購入済か否かを示す情報を表示し、前記購入完了画面から前記コンテンツリストに表示を切り替えた場合、前記購入済か否かを示す情報に即座に購入結果を反映することを特徴とするコンテンツ再生装置。
【請求項２３】
コンテンツを記憶して再生するコンテンツ再生装置で記憶されたコンテンツを視聴可能とするための認証を行うコンテンツ再生認証サーバであって、
前記コンテンツ再生装置が記憶したコンテンツのなかから未購入のコンテンツを選択し、前記コンテンツ再生認証サーバにネットワークアクセスした際に、前記コンテンツ再生認証サーバは、前記選択した前記コンテンツの詳細情報を詳細情報表示画面として前記コンテンツ再生装置に送信することを特徴とするコンテンツ再生認証サーバ。
【請求項２４】
請求項２３に記載のコンテンツ再生認証サーバにおいて、前記詳細情報表示画面は、購入手続きの進捗情報を表示する進捗情報表示領域を有することを特徴とするコンテンツ再生認証サーバ。
【請求項２５】
請求項２３に記載のコンテンツ再生認証サーバにおいて、前記詳細情報は、コンテンツのタイトル名、価格、サムネイル、及び概要説明を含むことを特徴とするコンテンツ再生認証サーバ。
【請求項２６】
請求項２３に記載のコンテンツ再生認証サーバにおいて、前記詳細情報表示画面は、コンテンツの購入手続きを継続するか、キャンセルするかを選択可能とする表示領域を有することを特徴とするコンテンツ再生認証サーバ。
【請求項２７】
請求項２３に記載のコンテンツ再生認証サーバにおいて、前記コンテンツ再生装置が前記詳細情報表示画面から購入手続きを継続する旨入力し、前記コンテンツ再生認証サーバにネットワークアクセスを行った際、前記コンテンツ再生認証サーバは、購入者を特定するための認証画面情報を認証画面として前記コンテンツ再生装置に送信すること特徴とするコンテンツ再生認証サーバ。
【発明の詳細な説明】
【技術分野】
【０００１】
本発明は、コンテンツ購入視聴システム、コンテンツ再生装置、及びコンテンツ再生認証サーバに関し、より詳細には、コンテンツ再生装置とコンテンツ再生認証サーバとがネットワーク接続されたコンテンツ購入視聴システムに関する。
【背景技術】
【０００２】
ＰＣ（Ｐｅｒｓｏｎａｌ Ｃｏｍｐｕｔｅｒ）をはじめとする様々な機器を用いて、映像・音楽・動画などのコンテンツを取得して再生することができる。
このようなコンテンツの取得方法としては、ユーザが所有しているＣＤから音楽データを取り出してＰＣ上で扱うデジタルデータに変換したり、テレビ番組を録画したり、あるいはネットワーク経由でデジタルデータを購入したり、等の様々な方法がある。【０００３】
また著作権保護されたコンテンツを暗号化した状態で様々な経路で配布し、暗号を解除するためのライセンスを購入することによって初めて再生を可能とする、超流通と呼ばれるシステムがある。
このようなコンテンツが流通すると、ユーザの管理下には、著作権保護されていないフリーコンテンツと、ライセンスを保有しており再生可能な購入済コンテンツと、ライセンスを保有しておらず再生不可能な未購入コンテンツとが混在することになる。【０００４】
従来のコンテンツ再生装置では、再生可能なコンテンツと、未購入のコンテンツが、別々のタイトルリストに表示されることが一般的である。このため、まず、再生したいコンテンツが、どちらのリストに表示されるかを確認する必要があり、煩雑な操作が必要となる。また、再生可能なコンテンツのみを視聴している場合、未購入コンテンツの存在に気づかず、購入の機会を逸する可能性がある。【０００５】
この課題に関連した技術として、著作権上再生可能なコンテンツと、再生不可能なコンテンツが混在して保存されている場合に、双方を混在させつつも再生可否の区別できるようなリストを作成する方法が提案されている（例えば、特許文献１参照）。
特許文献１のコンテンツ処理装置は、再生を許可するコンテンツの提供元を示す第１のソースＩＤリストと、記憶媒体に記憶されるコンテンツを再生するコンテンツ再生部と、コンテンツに付加されたソースＩＤ及び上記第１のソースＩＤリストに基づきコンテンツが再生可能か否かを判断する再生可否判断部と、再生可否判断部により再生不可能と判断されたコンテンツのタイトル情報が判別可能なように、コンテンツのタイトル情報のリストを作成するタイトルリスト作成部とを備えている。
【特許文献１】特開２００６−５９３２９号公報
【発明の開示】
【発明が解決しようとする課題】
【０００６】
しかしながら、上記特許文献１の技術では、前述したような購入済コンテンツと未購入コンテンツを識別可能な一覧表示や、未購入コンテンツの購入などを行うことはできない。【０００７】
また、従来の技術では、単に録画済のコンテンツ一覧を表示したり、購入済のコンテンツ一覧を表示したりすることしかできなかった。
よって未購入のコンテンツと、購入済のコンテンツが混在しているメディアに対して、タイトル毎に未購入か購入済かを区別することができるリストの作成は不可能であった。
また、未購入のコンテンツを選択することによってライセンス購入手続きを行い、購入済のコンテンツとすることはできず、例えばＰＣを使用して煩雑な購入手続きを行う必要があった。【０００８】
本発明は、上述のごとき実情に鑑みてなされたもので、購入済コンテンツと未購入コンテンツとを混在させたタイトルリストから、直接コンテンツの購入手続きに移行可能とし、未購入コンテンツを購入済コンテンツとして再生できるようにしたコンテンツ購入視聴システム、コンテンツ再生装置、及びコンテンツ再生認証サーバを提供することを目的とする。
【課題を解決するための手段】
【０００９】
上記課題を解決するために、本発明の第１の技術手段は、コンテンツを記憶して再生するコンテンツ再生装置と、コンテンツ再生装置が記憶したコンテンツを視聴可能とするための認証を行うコンテンツ再生認証サーバとを有するコンテンツ購入視聴システムであって、コンテンツ再生装置は、購入済で視聴可能なコンテンツおよび未購入で視聴不可能なコンテンツを含むコンテンツを記憶する記憶媒体と、記憶媒体のコンテンツリストを生成するコンテンツリスト生成部と、コンテンツリスト生成部が生成したコンテンツリストを表示装置に表示させる制御部とを有し、コンテンツリストには、購入状態にかかわらずコンテンツが一覧表示されることを特徴としたものである。【００１０】
第２の技術手段は、第１の技術手段において、コンテンツ再生装置が、コンテンツリストに表示される各コンテンツに購入済か否かを示す情報を表示することを特徴としたものである。【００１１】
第３の技術手段は、第１の技術手段において、コンテンツ再生装置が、コンテンツリストからのコンテンツの選択が可能であって、コンテンツの選択を行った場合、選択したコンテンツが購入済か未購入かによって挙動が異なることを特徴としたものである。【００１２】
第４の技術手段は、第３の技術手段において、コンテンツ再生装置が、コンテンツリストに表示したコンテンツのうち未購入のコンテンツを選択すると、選択したコンテンツの購入手続きを行うか否かを問うダイアログを表示装置に表示することを特徴としたものである。【００１３】
第５の技術手段は、第３の技術手段において、コンテンツ再生装置が、コンテンツリストに表示したコンテンツのうち購入済のコンテンツを選択すると、選択したコンテンツの再生を行うことを特徴としたものである。【００１４】
第６の技術手段は、コンテンツを記憶して再生するコンテンツ再生装置であって、コンテンツ再生装置が、購入済で視聴可能なコンテンツおよび未購入で視聴不可能なコンテンツを含むコンテンツを記憶する記憶媒体と、記憶媒体のコンテンツリストを生成するコンテンツリスト生成部と、コンテンツリスト生成部が生成したコンテンツリストを表示装置に表示させる制御部とを有し、コンテンツリストには、購入状態にかかわらずコンテンツが一覧表示されることを特徴としたものである。【００１５】
第７の技術手段は、第６の技術手段において、コンテンツリストに表示される各コンテンツに購入済か否かを示す情報を表示することを特徴としたものである。【００１６】
第８の技術手段は、第６の技術手段において、コンテンツリストからのコンテンツの選択が可能であって、コンテンツの選択を行った場合、選択したコンテンツが購入済か未購入かによって挙動が異なることを特徴としたものである。【００１７】
第９の技術手段は、第８の技術手段において、コンテンツリストに表示したコンテンツのうち未購入のコンテンツを選択すると、選択したコンテンツの購入手続きを行うか否かを問うダイアログを表示装置に表示することを特徴としたものである。【００１８】
第１０の技術手段は、第８の技術手段において、コンテンツリストに表示したコンテンツのうち購入済のコンテンツを選択すると、選択したコンテンツの再生を行うことを特徴としたものである。【００１９】
第１１の技術手段は、第９の技術手段において、ダイアログから購入手続きを行う旨入力すると、コンテンツ再生装置が記憶したコンテンツを購入して視聴可能とするための認証を行うコンテンツ再生認証サーバにネットワークアクセスを行い、選択したコンテンツの詳細情報を取得し、詳細情報を詳細情報表示画面として表示装置に表示することを特徴としたものである。【００２０】
第１２の技術手段は、第１１の技術手段において、詳細情報表示画面から、購入手続きを継続する旨入力すると、コンテンツ再生認証サーバにネットワークアクセスを行い、購入者を特定するための認証画面情報を取得し、認証画面情報を認証画面として表示装置に表示することを特徴としたものである。【００２１】
第１３の技術手段は、第１２の技術手段において、認証画面が、認証情報としてユーザ情報、及びパスワード情報を入力する領域と、認証の実行指示を可能とする表示領域とを有し、ユーザ情報、及びパスワード情報は、数字キーで入力することを特徴としたものである。【００２２】
第１４の技術手段は、第１２の技術手段において、認証画面から認証を実行すると、コンテンツ再生認証サーバにネットワークアクセスを行い、認証を実行するとともに認証中画面を取得し、認証中画面を表示装置に表示することを特徴としたものである。【００２３】
第１５の技術手段は、第１３の技術手段において、認証画面から認証を実行すると、ユーザ情報とパスワード情報とをコンテンツ再生認証サーバに送信することを特徴としたものである。【００２４】
第１６の技術手段は、第１４の技術手段において、認証画面から認証を実行し、コンテンツ再生認証サーバが認証に失敗した場合、コンテンツ再生認証サーバから自動的に認証失敗画面を取得し、認証失敗画面を表示装置に表示することを特徴としたものである。【００２５】
第１７の技術手段は、第１６の技術手段において、認証失敗画面を一定時間表示した後に、自動的に詳細情報表示画面の表示に切り替えることを特徴としたものである。【００２６】
第１８の技術手段は、第１４の技術手段において、認証画面から認証を実行し、コンテンツ再生認証サーバが認証に成功した場合、コンテンツ再生認証サーバから自動的に購入確認画面を取得し、購入確認画面を表示装置に表示することを特徴としたものである。【００２７】
第１９の技術手段は、第１８の技術手段において、購入確認画面から購入手続きを最終決定する旨入力すると、コンテンツ再生認証サーバにネットワークアクセスを行い、コンテンツの購入処理を実行し、コンテンツ再生認証サーバから購入完了画面情報を取得し、購入完了画面情報を購入完了画面として表示装置に表示することを特徴としたものである。【００２８】
第２０の技術手段は、第１８の技術手段において、購入確認画面から購入手続きを最終決定する旨入力すると、コンテンツ再生認証サーバにネットワークアクセスを行い、コンテンツの購入処理を実行するとともに、購入情報を記憶媒体の購入情報格納領域に記録することを特徴としたものである。【００２９】
第２１の技術手段は、第１９の技術手段において、購入完了画面から購入完了画面を確認した旨入力すると、表示装置にコンテンツリストを表示することを特徴としたものである。【００３０】
第２２の技術手段は、第２１の技術手段において、コンテンツリストに表示される各コンテンツに購入済か否かを示す情報を表示し、購入完了画面からコンテンツリストに表示を切り替えた場合、購入済か否かを示す情報に即座に購入結果を反映することを特徴としたものである。【００３１】
第２３の技術手段は、コンテンツを記憶して再生するコンテンツ再生装置で記憶されたコンテンツを視聴可能とするための認証を行うコンテンツ再生認証サーバであって、コンテンツ再生装置が記憶したコンテンツのなかから未購入のコンテンツを選択し、コンテンツ再生認証サーバにネットワークアクセスした際に、コンテンツ再生認証サーバは、選択したコンテンツの詳細情報を詳細情報表示画面としてコンテンツ再生装置に送信することを特徴としたものである。【００３２】
第２４の技術手段は、第２３の技術手段において、詳細情報表示画面が、購入手続きの進捗情報を表示する進捗情報表示領域を有することを特徴としたものである。【００３３】
第２５の技術手段は、第２３の技術手段において、詳細情報が、コンテンツのタイトル名、価格、サムネイル、及び概要説明を含むことを特徴としたものである。【００３４】
第２６の技術手段は、第２３の技術手段において、詳細情報表示画面が、コンテンツの購入手続きを継続するか、キャンセルするかを選択可能とする表示領域を有することを特徴としたものである。【００３５】
第２７の技術手段は、第２３の技術手段において、コンテンツ再生装置が詳細情報表示画面から購入手続きを継続する旨入力し、コンテンツ再生認証サーバにネットワークアクセスを行った際、コンテンツ再生認証サーバは、購入者を特定するための認証画面情報を認証画面としてコンテンツ再生装置に送信することを特徴としたものである。
【発明の効果】
【００３６】
本発明によれば、購入済コンテンツと未購入コンテンツとを混在させたタイトルリストから、直接コンテンツの購入手続きに移行可能とし、未購入コンテンツを購入済コンテンツとして再生できるようにしたコンテンツ購入視聴システム、コンテンツ再生装置、及びコンテンツ再生認証サーバを提供することができる。
【図面の簡単な説明】
【００３７】
【図１】本発明の第１の実施形態を説明するためのブロック図である。
【図２】本発明に係るコンテンツ再生装置が生成するコンテンツリストの表示例を示す図である。
【図３】本発明に関わる未購入コンテンツの購入処理例を説明するためのフローチャートである。
【図４】コンテンツの購入手続きを開始するためのダイアログを表示部に表示させた図である。
【図５】コンテンツ再生認証サーバから取得した詳細情報表示画面の表示例を示す図である。
【図６】コンテンツ再生認証サーバから取得した認証画面の表示例を示す図である。
【図７】コンテンツ再生認証サーバから取得した認証中画面の表示例を示す図である。
【図８】コンテンツ再生認証サーバから取得した購入確認画面の表示例を示す図である。
【図９】コンテンツ再生認証サーバから取得した認証失敗画面の表示例を示す図である。
【図１０】コンテンツ再生認証サーバから取得した購入完了画面の表示例を示す図である。
【図１１】再生成されたコンテンツリストの表示例を示す図である。
【符号の説明】
【００３８】
１０…コンテンツ再生装置、１１…コンテンツリスト生成部、１２…コンテンツ再生部、１３…記憶媒体、１４…制御部、２０…入力部、３０…表示部、４０…ネットワークインターフェース、５０…コンテンツ再生認証サーバ、６０…ネットワーク、１０１〜１０６…タイトル、１１１…購入状態アイコン、１１２…サムネイル、１１３…カーソル、１２０…タイトル表示枠、１２１…購入状態表示枠、１３０…ダイアログ、１３１…“はい”、１３２…“いいえ”、１４１…タイトル名、１４２…価格、１４３…サムネイル、１４４…要約情報、１４５…“購入”、１４６…“キャンセル”、１４７…進捗情報表示領域、１４８…“詳細”、１５１…お客様番号の入力欄、１５２…暗証番号の入力欄、１５３…“認証”、１５４…“認証”、１６１…認証中であることを示す情報、１７１…タイトル名、１７２…価格、１７３…サムネイル、１７４…ユーザ情報、１７５…“確認”、１７６…“キャンセル”、１７７…“購入確認”、１８１…認証に失敗したことを示す情報、１９１…購入完了を示す情報、１９２…“確認”、１９３…“購入完了”。
【発明を実施するための最良の形態】
【００３９】
図１は、本発明の第１の実施形態を説明するためのブロック図で、コンテンツ再生装置１０に入力部２０と表示部３０とが接続され、さらにコンテンツ再生装置１０が、ネットワークインターフェース４０、及びネットワーク６０を介してコンテンツ再生認証サーバ５０に接続されている様子を示すものである。表示部３０は、本発明の表示装置に該当し、コンテンツ再生装置１０に接続するＬＣＤなどの表示装置を適用することができる。またコンテンツ再生装置１０に表示部３０を備えるようにしてもよい。【００４０】
コンテンツ再生装置１０は、コンテンツリスト生成部１１と、コンテンツ再生部１２と、記憶媒体１３と、制御部１４とを有している。
記憶媒体１３は、装置内蔵のストレージ装置であってもよく、リムーバブルメディアであってもよい。さらに記憶媒体１３には、磁気ディスク（ハードディスク、ｉＶＤＲ等）、光ディスク（ＤＶＤ、Ｂｌｕ−ｒａｙ  Ｄｉｓｃ等）などを適用することができ、その種類を問うものではない。
そして記憶媒体１３には、複数のコンテンツを記録することが可能であり、購入済コンテンツ、未購入コンテンツ、及び購入不要で再生が可能なフリーコンテンツを混在させて記録することができる。【００４１】
入力部２０は、例えばリモコン装置からのリモコンコード信号を入力できるように構成される。そして入力部２０を通じて特定のリモコンコード等によるユーザからの要求を受けると、制御部１４は、コンテンツリスト生成部１１に対し、コンテンツのリスト生成を指示する。【００４２】
コンテンツリスト生成部１１は、制御部１４からのリスト生成指示に応じて、記憶媒体１３に記憶されているコンテンツのリストを作成する。このときコンテンツリスト生成部１１は、購入済コンテンツ、未購入コンテンツ、及びフリーコンテンツが混在したリストを作成する。そして生成したリストは、表示部３０に表示することができる。【００４３】
図２は、本発明に係るコンテンツ再生装置が生成するコンテンツリストの表示例を示す図である。図２の例では、コンテンツリストの表示画面内には、６個のコンテンツのタイトル１０１〜１０６が表示されている。
そして、各コンテンツのタイトル１０１〜１０６には、それぞれ、各コンテンツの購入状態を示す購入状態アイコン１１１とサムネイル１１２とが表示され、さらにユーザ操作に従って表示画面内を移動可能なカーソル１１３が表示される。タイトル内のサムネイル１１２には、各コンテンツのタイトルに関する画像が表示される。【００４４】
また画面の上部には、カーソル１１３によって選択されているコンテンツのタイトルを表示するためのタイトル表示枠１２０が設定される。またタイトル表示枠１２０の右端の領域には、選択されたコンテンツの購入状態を表示するための購入状態表示枠１２１が設定されている。【００４５】
図２の例では、カーソル１１３によってタイトル１０１が選択されている。タイトル１０１の購入状態アイコン１１１には、そのコンテンツが未購入であることが示されている。
従って、表示画面のタイトル表示枠１２０には、選択されたタイトル１０１のタイトル名が表示され、購入状態表示枠１２１には、そのタイトル１０１のコンテンツが未購入であることが示される。【００４６】
ユーザは、リモコン等を用いて、図２の状態のコンテンツリストから再生したいコンテンツを選択することができる。この場合、コンテンツ再生装置１０の制御部１４は、選択されたコンテンツが購入済コンテンツか、未購入コンテンツか、もしくはフリーコンテンツかを判別する。【００４７】
選択されたコンテンツが購入済コンテンツあるいはフリーコンテンツであった場合、制御部１４は、選択されたコンテンツの情報をコンテンツ再生部１２に通知する。コンテンツ再生部１２は、選択されたコンテンツを記憶媒体１３から読み出し、デコード処理を行って表示部３０に表示する。【００４８】
ユーザが未購入コンテンツのタイトルを選択した場合、コンテンツ再生装置１０は、コンテンツ再生認証サーバ５０にアクセスして、そのコンテンツの購入処理を実行することができる。以下にフローチャートと表示画面例とを参照しながら、未購入コンテンツの選択時の処理例について具体的に説明する。【００４９】
図３は、本発明に関わる未購入コンテンツの購入処理例を説明するためのフローチャートである。
図２のようなコンテンツリストから、ユーザ操作によって未購入コンテンツのタイトルが選択された場合、コンテンツ再生装置１０の制御部１４は、図４に示すような、コンテンツの購入手続きを開始するためのダイアログ１３０を表示部３０に表示させる（ステップＳ１）。【００５０】
この画面でユーザは、カーソル操作によって“はい”１３１または“いいえ”１３２を選択することができる。“はい”１３１を選択することにより、コンテンツの購入処理に進むことができる。
ここでユーザが“はい”１３１を選択すると（ステップＳ２―ＹＥＳ）、制御部１４は、ネットワークインターフェース４０とネットワーク６０を通じて、コンテンツ再生認証サーバ５０から、コンテンツの詳細情報と、購入手続きを継続するかキャンセルするかの選択肢とを含む詳細情報表示画面を取得し、表示部３０に表示させる（ステップＳ３）。またユーザが“いいえ”１３２を選択すると（ステップＳ２―ＮＯ）、タイトルリストの表示に戻る（ステップＳ１２）。【００５１】
図５は、コンテンツ再生認証サーバ５０から取得した詳細情報表示画面の表示例を示す図である。
詳細情報表示画面には、コンテンツの詳細情報として、コンテンツのタイトル名１４１、コンテンツの価格１４２、コンテンツに関する画像を表示するサムネイル１４３、及びコンテンツの要約情報１４４が表示される。また、コンテンツの購入手続きを継続するための“購入”１４５と、これをキャンセルするための“キャンセル”１４６とが表示される。【００５２】
また図５の詳細情報表示画面には、コンテンツの購入手続きの進捗情報を表示するための進捗情報表示領域１４７が設定されている。詳細情報表示画面の場合は、進捗情報表示領域１４７では、“詳細”１４８の進捗段階であることが明示されている。【００５３】
そして図５の画面において、ユーザが“購入”１４５を選択すると（ステップＳ４―ＹＥＳ）、制御部１４は、ネットワークインターフェース４０とネットワーク６０を通じて、コンテンツ再生認証サーバ５０から、ユーザ情報及びパスワード情報を入力する領域と、認証を実行するための領域を有する認証画面を取得し、表示部３０に表示させる（ステップＳ５）。またユーザが“キャンセル”１４６を選択すると（ステップＳ４―ＮＯ）、タイトルリストの表示に戻る（ステップＳ１２）。【００５４】
図６は、コンテンツ再生認証サーバから取得した認証画面の表示例を示す図である。
認証画面には、ユーザ情報である“お客様番号”の入力欄１５１と、“暗証番号”の入力欄１５２が設定される。また認証画面には、図５の詳細情報表示画面と同様にコンテンツの購入手続きの進捗情報を表示するための進捗情報表示領域１４７が設定され、“認証”１５４の進捗段階であることが明示されている。【００５５】
そしてユーザが、例えばリモコンの数字キーを使用してこれらの認証情報を入力し、“認証”１５３を選択すると（ステップＳ６）、コンテンツ再生装置１０の制御部１４は、入力されたユーザ情報と暗証番号情報を、ネットワークインターフェース４０とネットワーク６０を通じてコンテンツ再生認証サーバ５０に送信するともに、コンテンツ再生認証サーバ５０から認証中画面を取得して、表示部３０に表示させる（ステップＳ７）。【００５６】
図７は、コンテンツ再生認証サーバから取得した認証中画面の表示例を示す図である。認証中画面には、例えば“認証中です。少々お待ち下さい。”などの認証中であることを示す情報１６１が表示される。また認証中画面には、詳細情報表示画面や認証画面と同様にコンテンツの購入手続きの進捗情報を表示するための進捗情報表示領域１４７が設定され、“認証”１５４の進捗段階であることが明示されている。【００５７】
コンテンツ再生認証サーバ５０では、コンテンツ再生装置１０から送信されたユーザ情報と暗証番号情報とによる認証情報が正しいかどうかを判別する。そして認証が成功した場合（ステップＳ８−ＹＥＳ）、コンテンツ再生装置１０の制御部１４は、ネットワークインターフェース４０とネットワーク６０を通じて、コンテンツ再生認証サーバ５０から購入確認画面を取得し、表示部３０に表示させる（ステップＳ９）。【００５８】
図８は、コンテンツ再生認証サーバから取得した購入確認画面の表示例を示す図である。購入確認画面には、コンテンツのタイトル名１７１、価格１７２、サムネイル１７３、ユーザ情報１７４が表示され、さらに購入手続きを最終決定するための“確認”１７５と、購入手続きをキャンセルするための“キャンセル”１７６とが表示される。また購入確認画面においても、コンテンツの購入手続きの進捗情報を表示するための進捗情報表示領域１４７が設定され、ここでは“購入確認”１７７の進捗段階であることが明示されている。【００５９】
コンテンツ再生認証サーバ５０における認証が失敗した場合、コンテンツ再生装置１０の制御部１４は、ネットワークインターフェース４０とネットワーク６０を通じて、コンテンツ再生認証サーバ５０から認証失敗画面を取得し、表示部３０に表示させる（ステップＳ１３）。【００６０】
図９は、コンテンツ再生認証サーバから取得した認証失敗画面の表示例を示す図である。認証失敗画面には、例えば“認証に失敗しました。タイトル詳細に戻ります。”などの認証に失敗したことを示す情報１８１が表示される。また認証失敗画面においても、コンテンツの購入手続きの進捗情報を表示するための進捗情報表示領域１４７が設定され、ここでは“認証”１５４の進捗段階であることが明示されている。
認証失敗画面では、ユーザ入力操作を行うことはできず、認証失敗画面を一定時間表示した後に、自動的に詳細情報表示に移行する（ステップＳ３）。【００６１】
図８の購入確認画面において、ユーザが“確認”１７５を選択すると（ステップＳ１０―ＹＥＳ）、コンテンツ再生装置１０の制御部１４は、ネットワークインターフェース４０とネットワーク６０を通じてコンテンツ再生認証サーバ５０にアクセスしてコンテンツの購入を実行し、記憶媒体１３内の購入情報格納領域に購入情報を記録すると同時に、ユーザが購入の確認を入力するための購入完了画面を取得して、表示部３０に表示させる（ステップＳ１１）。また図８の購入確認画面において、ユーザが“キャンセル”１７６を選択した場合には（ステップＳ１０―ＮＯ）、コンテンツの購入が中止され、コンテンツリストの表示に戻る（ステップＳ１２）。【００６２】
図１０は、コンテンツ再生認証サーバから取得した購入完了画面の表示例を示す図である。購入完了画面には、“購入完了しました。タイトルリストに戻ります。”などの購入完了を示す情報１９１と、購入完了を確認するための“確認”１９２が表示される。また購入完了画面においても、コンテンツの購入手続きの進捗情報を表示するための進捗情報表示領域１４７が設定され、ここでは“購入完了”１９３の進捗段階であることが明示されている。
この購入完了画面において、ユーザが“確認”１９２を選択すると、コンテンツ再生装置１０の制御部１４は、コンテンツリスト生成部１１に対してコンテンツリストの再生成を指示する。コンテンツリスト生成部１１は、その指示に従い、コンテンツリストを再生成してから表示する（ステップＳ１２）。【００６３】
図１１は、再生成されたコンテンツリストの表示例を示す図である。図２で示す状態で表示されていたコンテンツリストで選択されたコンテンツは、上記の処理によって購入情報が書き込まれることにより、購入済のコンテンツとなる。従って、図１１の表示画面では、選択されたタイトル１０１の購入状態アイコン１１１が非表示となり、また購入状態表示枠１２１には、選択されたタイトル１０１のコンテンツが“購入済”であることが示される。【００６４】
そして図１１に示す画面において、ユーザが再びタイトル１０１を選択すると、タイトル１０１は購入済コンテンツであるため、コンテンツ再生装置１０の制御部１４は、コンテンツ再生部１２に対して選択されたコンテンツの情報を通知し、コンテンツ再生部１２は、選択されたコンテンツを記憶媒体１３から読み出してデコード処理を行って表示部３０に表示させることができる。【００６５】
以上のように、コンテンツリストから未購入コンテンツを選択した後、順番に表示された各画面でユーザが操作を行うことにより、コンテンツのライセンスを購入し、再生可能な購入済コンテンツとすることが可能である。
なお、上記の例で示した進捗情報表示領域１４７は、各画面において同じ表示領域に表示しているが、この他、ユーザによる選択から次の画面を取得して表示を行うまでの間、購入手続きの進捗状況を表示するようにしてもよい。
なお、本実施形態で示した画面切替の順序およびデザインは一例である。購入するコンテンツの内容と、認証情報入力領域とを備えた画面を表示すれば、その順序およびデザインを問うものではない。
【図１】
2007122962.tif 000003
【図２】
2007122962.tif 000004
【図３】
2007122962.tif 000005
【図４】
2007122962.tif 000006
【図５】
2007122962.tif 000007
【図６】
2007122962.tif 000008
【図７】
2007122962.tif 000009
【図８】
2007122962.tif 000010
【図９】
2007122962.tif 000011
【図１０】
2007122962.tif 000012
【図１１】
2007122962.tif 000013
【国際調査報告】
2007122962.tif 000014
2007122962.tif 000015
2007122962.tif 000016
2007122962.tif 000017
2007122962.tif 000018
2007122962.tif 000019
2007122962.tif 000020